(57)【特許請求の範囲】
【請求項１】
単一の信号入力手段からの指令により複数台の室内ユニットをグループ制御する空気調和装置において、
前記複数台の室内ユニットには、機種または設置形態の異なる室内ユニットを含み、
前記室内ユニットの制御手段内に、少なくとも一つの制御パラメータに対して運転設定を書換可能に記憶する第１記憶手段と、複数の機種、設置形態、交換部材ないし後付オプション機器の装着設定に対応する複数の設定データからなる設定データ群を前記制御パラメータ毎に記憶した第２記憶手段と、前記第１記憶手段に記憶された前記室内ユニットの機種、設置形態または交換部材ないし後付オプション機器の装着状態に応じた運転設定を更新する運転設定更新手段とを備え、
前記信号入力手段は、他の室内ユニットに優先して親機の運転設定を更新可能となるように、前記運転設定の更新時にはグループ制御される室内ユニットの内の親機を最初に呼び出し、
前記運転設定更新手段は、前記信号入力手段からの入力信号に基づき、前記第２記憶手段に記憶された設定データ群内の所定の設定データを更新データとして選択し、この更新データをもって前記第１記憶手段内の運転設定を更新することを特徴とする空気調和装置。
【請求項２】
前記運転設定更新手段はグループ制御される室内ユニットの運転設定を同時更新することを特徴とする請求項１記載の空気調和装置。
【請求項３】
前記運転設定更新手段はグループ制御される室内ユニットの運転設定を個別更新することを特徴とする請求項１記載の空気調和装置。
【請求項４】
前記信号入力手段はリモートコントローラであることを特徴とする請求項１乃至請求項３のいずれか一項に記載の空気調和装置。
【発明の詳細な説明】
【０００１】
【発明の属する技術分野】
本発明は、室内ユニットの制御手段内に運転設定が記憶される空気調和装置に係り、制御基板の共通化や運転設定変更作業の容易化等を図る技術に関する。
【０００２】
【従来の技術】
通常、空気調和装置の室内ユニットでは、その制御部内にＣＰＵ（中央処理装置）やＲＯＭ（読出専用記憶装置）等の部品をボード上に配設してなる制御基板が備えられている。制御基板上のＣＰＵは、ＲＯＭから各種の制御プログラムや運転設定を呼び出し、スイッチやセンサ類からの入力情報に基づき、各機器（電動膨張弁や電動ファン等）の駆動制御や室外ユニットとの相互通信等を行う。ＲＯＭに記憶される運転設定としては、エアフィルタの寿命（耐用時間）や設置形態による冷暖房運転時の吸込温度と室温との偏差補正を始めとして種々のものがあり、これに対応するべく制御基板は機種毎に専用品が用いられていた。
【０００３】
上述したように、従来の室内ユニットでは機種毎に専用の制御基板を用いるため、室内ユニットの機種数が多くなると、制御基板の種類がさらに増加する問題があった。すなわち、室内ユニット用の制御基板は、構成部品やその取付状態が全く同一であっても、ＲＯＭ内に記憶された運転設定のみが異なるものが多数存在し、生産管理や在庫管理等が煩雑になると共に、多品種少量生産によって単価が上昇する。また、室内ユニットの設置時には、標準設定と異なる仕様のエアフィルタが選択されたり、ヒータ等の後付オプション機器が装着されること等があり、この際には、フィルタ交換表示や通電制御等を正しく行わせるべく、制御基板上のディップスイッチの切り換え等を行う必要があった。
【０００４】
そこで、発明者等は、これらの問題を解決するべく、室内ユニットの制御基板にＥＥＰＲＯＭ等の不揮発性記憶手段を搭載し、この不揮発性記憶手段に書換可能に運転設定を記憶させることを試みた。これにより種々の運転設定を記憶させて制御基板の汎用性を高めることができる他、室内ユニット外のリモートコントローラ等を用いての運転設定の変更も可能となった。
【０００５】
【発明が解決しようとする課題】
この種の従来の空気調和装置では、複数台の室内ユニットと前記室内ユニット外の単一のリモートコントローラ等とを通信ラインを介して接続し、複数台の室内ユニットを、当該単一のリモートコントローラで一括制御（以下、グループ制御という。）することが行われる場合がある。このグループ制御が行われる場合には、単一のリモートコントローラに接続された複数台の室内ユニットの内の一つの室内ユニットが必ず親機として設定される。
【０００６】
運転設定データの中にはこの親機にのみ設定したいデータが幾つかあるし、グループ制御される複数台の室内ユニットの全てに対して同じデータを設定する場合に、この親機に設定することにより全ての室内ユニットに対して同じデータを一斉に設定することができれば運転設定変更の作業性が向上する。
【０００７】
そこで、本発明の目的は、グループ制御を行う室内ユニットの内の親機を簡単に呼び出すことができる空気調和装置を提供することにある。
【０００８】
【課題を解決するための手段】
上記課題を解決するために、請求項１の発明は、単一の信号入力手段からの指令により複数台の室内ユニットをグループ制御する空気調和装置において、前記複数台の室内ユニットには、機種または設置形態の異なる室内ユニットを含み、前記室内ユニットの制御手段内に、少なくとも一つの制御パラメータに対して運転設定を書換可能に記憶する第１記憶手段と、複数の機種、設置形態、交換部材ないし後付オプション機器の装着設定に対応する複数の設定データからなる設定データ群を前記制御パラメータ毎に記憶した第２記憶手段と、前記第１記憶手段に記憶された前記室内ユニットの機種、設置形態または交換部材ないし後付オプション機器の装着状態に応じた運転設定を更新する運転設定更新手段とを備え、前記信号入力手段は、他の室内ユニットに優先して親機の運転設定を更新可能となるように、前記運転設定の更新時にはグループ制御される室内ユニットの内の親機を最初に呼び出し、前記運転設定更新手段は、前記信号入力手段からの入力信号に基づき、前記第２記憶手段に記憶された設定データ群内の所定の設定データを更新データとして選択し、この更新データをもって前記第１記憶手段内の運転設定を更新することを特徴とする。
【０００９】
この発明では、運転設定の更新時において、信号入力手段には最初に親機が呼び出されるので、設置作業者やサービス作業者は、例えば親機にのみ更新データを容易に与えることができる。
【００１０】
また、請求項２の発明では、請求項１記載のものにおいて、前記運転設定更新手段はグループ制御される室内ユニットの運転設定を同時更新することを特徴とする。この発明では、グループ制御を行う室内ユニットの全てに一斉に同じ更新データを設定することができる。
【００１１】
また、請求項３の発明では、請求項１記載のものにおいて、前記運転設定更新手段はグループ制御される室内ユニットの運転設定を個別更新することを特徴とする。この発明では、グループ制御を行う複数台の室内ユニットのそれぞれに更新データを個別に設定することができる。
【００１２】
また、請求項４の発明では、請求項１乃至請求項３の空気調和装置において、前記信号入力手段はリモートコントローラであることを特徴とする。この発明では、例えば、設置作業者やサービス作業者は、リモートコントローラのディスプレイの表示で親機を確認し、グループ制御を行う室内ユニットの全てに同じ更新データを設定し、或いは複数の室内ユニットについて個別に更新データを設定することができる。
【００１３】
【発明の実施の形態】
以下、本発明の実施形態を図面に基づいて詳細に説明する。図１は本発明に係る空気調和システムの全体を示す概略構成図であり、図２は室外ユニットおよび室内ユニット内の機器構成を示す概略図である。尚、これらの図において、冷凍サイクルは実線により示し、制御・通信回路は一点鎖線により示してある。
【００１４】
図１に示したように、本実施形態の空気調和システムは、システム全体を制御・統括する集中コントローラ１と、共に集中コントローラ１に無極性２線方式のバスライン３を介して接続された、多数台の室内ユニット５-1〜５-nと、第１〜第３室外ユニット７-1〜７-3とから構成されている。図中、９は室内ユニットにリモコンライン４を介して接続されたワイヤードリモートコントローラ（以下、リモコンと略称する）である。
【００１５】
図１に示す空気調和システムでは、１つのリモコンに対して複数の室内ユニットを接続して、この１つのリモコンからの指令により複数の全ての室内ユニットの制御基板に対して指令を行う、いわゆる室内ユニットのグループ制御が行われる。即ち、３つの室内ユニット５-1〜５-3が１つのリモコン９によりグループＧＲ1 制御される。同様に３つの室内ユニット５-4〜５-6が別の１つのリモコン９によりグループＧＲ２制御され、さらに３つの室内ユニット５-21〜５-23が別の１つのリモコン９によりグループＧＲ３制御され、２つの室内ユニット５-24、５-25が別の１つのリモコン９によりグループＧＲ４制御される。
【００１６】
図２に示したように、室内ユニット５-1〜５-n側には、室内熱交換器２１、電動ファン２３、電動膨張弁２５、電動フラップ２７等が設置されている。また、室外ユニット７-1〜７-3側には、圧縮機３１、電磁式の四方弁３３、室外熱交換器３５、電動ファン３７、アキュムレータ３９等が設置されている。冷媒回路を構成する機器は、ガス冷媒あるいは液冷媒の流通に供される冷媒配管４１〜４７により接続されている。
【００１７】
各室内ユニット５-1〜５-n内には、室内側コントロールユニット（以下、室内側ＥＣＵと記す）６１が設置されている。室内側ＥＣＵ６１は、図３に示したように、ＣＰＵ６３を始め、入出力インタフェース６５，６７やＲＯＭ（第２記憶手段）６９，ＲＡＭ７１，ＥＥＰＲＯＭ（第１記憶手段）７３等から構成されている。本実施形態の場合、ＥＥＰＲＯＭ７３には種々の制御パラメータに対して運転設定が書換可能に記憶され、ＲＯＭ６９には各制御パラメータ毎に複数の設定データからなる設定データ群が記憶されている。
【００１８】
室内側ＥＣＵ６１では、入力インタフェース６５に室温Ｔr を検出する室温センサ８１や、室内熱交換器２１の冷房運転時における入口側および出口側の冷媒温度Ｔfi，Ｔfoを検出する第１，第２冷媒温度センサ８３，８５等が接続し、出力インタフェース６７に電動ファン２３や電動膨張弁２５、電動フラップ２７等が接続している。
【００１９】
一方、各室外ユニット７-1〜７-3内には、室外側コントロールユニット（以下、室外側ＥＣＵと記す）９１が設置され、各リモコン９内にはリモコン側コントロールユニット（以下、リモコン側ＥＣＵと記す）９３が設置されている。両ＥＣＵ９１，９３は、室内側ＥＣＵ６１と略同様の構成を有しており、室外側ＥＣＵ９１には圧縮機３１、四方弁３３、電動ファン３７の他、圧縮機３１の吐出側冷媒圧力Ｐd を検出する圧力センサ９３、外気温Ｔa を検出する外気温センサ９５等が接続し、リモコン側ＥＣＵ９３には後述するディスプレイや各種スイッチが接続している。
【００２０】
図４は、リモコン９の表示・操作部の表示例を示す正面図であり、図中の符号１０１は運転情報等の表示に供される液晶ディスプレイである。液晶ディスプレイ１０１には、左上方に制御対象となるユニットナンバ表示（系統表示１０３−室内ユニット表示１０５）、右中央に項目コード表示１０７、下方に設定データ表示１０９がそれぞれなされる。
【００２１】
液晶ディスプレイ１０１の左側には、上から順に、ユニット選択スイッチ１１１、スイング／風向スイッチ１１３、タイマ設定スイッチ１１５、タイマ時間スイッチ１１７，１１９、セットスイッチ１２１、取消スイッチ１２３が配設されている。液晶ディスプレイ１０１の右側には、上から順に、運転切換スイッチ１２５、温度設定スイッチ１２７，１２９、風速切換スイッチ１３１、フィルタ交換ランプ１３３、そのリセットスイッチ１３５、試運転／点検スイッチ１３７が配設されている。更に、液晶ディスプレイ１０１の下部には、運転表示ランプ１３９と運転／停止スイッチ１４１とが配設されている。
【００２２】
次に、冷房運転時における冷媒の流れを簡単に説明する。
【００２３】
図２に示す室外ユニット７-1〜７-3内では、冷媒配管４７から圧縮機３１に吸引されたガス冷媒が、断熱圧縮により高温高圧となって圧縮機３１から吐出され、冷媒配管４１、四方弁３３、冷媒配管４２を経由して室外熱交換器３５に流入する。高温高圧のガス冷媒は、室外熱交換器３５内を通過する間に外気により冷却され、凝縮することにより液冷媒となった後、冷媒配管４３を経由して各室内ユニット５-1〜５-nの電動膨張弁２５に流入する。
【００２４】
液冷媒は、電動膨張弁２５で流量を調整された後、冷媒配管４４を経由して室内熱交換器２１に流入する。液冷媒は、室内熱交換器２１内を通過する間に気化してガス冷媒となり、気化潜熱により電動ファン２３が送風した室内空気を冷却する。この際、室内側ＥＣＵ６１は、設定温度Ｔs と室温Ｔr との偏差に基づき電動ファン２３の回転数（rpm ）を制御すると共に、室内熱交換器２１の入口側冷媒温度Ｔfiと出口側冷媒温度Ｔfoとの偏差が所定値（例えば、０〜１℃）となるように電動膨張弁２５の開弁量（弁体駆動用ステップモータのステップ数）を制御する。室内熱交換器２１内で気化したガス冷媒は、冷媒配管４５から室外ユニット７-1〜７-3内の四方弁３３、冷媒配管４６を経由してアキュムレータ３９に流入し、冷媒配管４７から再び圧縮機３１に吸引される。
【００２５】
また、暖房運転時には、室外側ＥＣＵ９１により、四方弁３３が破線で示すように切り換えられる。これにより、圧縮機３１から吐出された高温高圧のガス冷媒が室内熱交換器２１内で凝縮熱を放出して液冷媒となった後、室外熱交換器３５に流入して外気から気化潜熱を吸収することになる。
【００２６】
以下、本実施形態の作用を説明する。
【００２７】
本実施形態では、室内ユニット５-1〜５-nの組立工程において、組立ラインに設置されたロムライター等により、容量や仕様に応じた標準的な運転設定が室内側ＥＣＵ６１のＥＥＰＲＯＭ７３に書き込まれる。これにより、複数の機種間で制御基板の共通化を図ることが可能となり、生産管理や在庫管理等が容易になると共に、大量生産によるコストの低減が実現された。
【００２８】
さて、建屋への空気調和システムの設置にあたり、設置作業者が、各室内ユニット５-1〜５-nを設置空間の状況（浮遊塵埃量や温湿度の要求値等）に適合させるべく、エアフィルタを装着または交換したり、ヒータ等の後付オプション機器を装着することがある。この際、設置作業者は、エアフィルタの種類やヒータの装着等に対応させるべく、リモコン９を用いて室内側ＥＣＵ６１のＥＥＰＲＯＭ７３に記憶された運転設定を変更する。
【００２９】
この実施形態では、室内ユニット５-1〜５-nのグループ制御が行われる場合、１つのリモコン９の操作によってグループ制御される全ての室内ユニットの運転設定が一括、或いは個別に変更される。
【００３０】
以下に図５，図６のフローチャートに基づいてその手順を述べる。尚、本実施形態の場合、室内ユニット５-1〜５-nの運転設定の変更は、各室外ユニット７-1〜７-3との間の配管作業や電源および通信ラインの配線作業等が完了し、集中コントローラ１による自動アドレスも終了した時点で可能となる。
【００３１】
室内ユニット５-1〜５-nに主電源が投入され且つリモコン９の運転／停止スイッチ１３７がＯＮとされ、リモコン９による運転制御が行われる状態（通常リモコンモード）になると、リモコン側ＥＣＵ９３は所定の制御インターバルで図５，図６に示した簡易設定変更サブルーチンを繰り返し実行する。このサブルーチンを開始すると、リモコン側ＥＣＵ９３は、先ず図５のステップＳ１で各スイッチ等からの入力情報を読み込んだ後、ステップＳ３で試運転／点検スイッチ１３７が４秒以上ＯＮ状態となったか否かを判定し、この判定がＮo （否定）であればスタートに戻って処理を繰り返す。
【００３２】
設置作業者が試運転／点検スイッチ１３７を４秒以上押圧し続けて、ステップＳ３の判定がＹes（肯定）になると、リモコン側ＥＣＵ９３は、簡易設定変更モードに移行し、ステップＳ５で全室内ユニット５-1〜５-nに指令を出力してその運転を強制的に停止させると共に、図７に示したように、ステップＳ７で液晶ディスプレイ１０１における設定データ表示１０９の直上に「設定中」の表示１４３を点滅させる。同時に、リモコン側ＥＣＵ９３は、ステップＳ９で系統表示１０３と室内ユニット表示１０５とで「ＡＬＬ」を点滅させ、ステップＳ１１で項目コード表示１０７に「０１」を点滅させ、更にステップＳ１３で設定データ表示１０９に「０００１」を点滅させる。
【００３３】
この表示は、全ての室内ユニット５-1〜５-nに対して、項目コード０１に係る制御パラメータの設定を１とすることを示しており、表示の点滅は号機選択や設定変更が未了であることを示している。
【００３４】
次に、リモコン側ＥＣＵ９３は、ステップＳ１５でユニット選択スイッチ１１１が押圧されたか否かを判定し、この判定がＹesであれば、１台の室内ユニットが選択されたことを認識して、ステップＳ１７で系統表示１０３および室内ユニット表示１０５により選択された室内ユニットのアドレスを表示すると共に、ステップＳ１８では、選択された室内ユニットの室内側ＥＣＵ６１に電動ファン２３と電動フラップ２７との駆動指令を出力する。これにより、設置作業者は、液晶ディスプレイ１０１の表示の他、その送風状態や電動フラップ２７の作動状態によっても、選択された室内ユニットを確認することができる。
【００３５】
（Ａ）親機の呼び出し
この実施形態では、前記リモコン側ＥＣＵ９３が、仮にグループＧＲ1 制御される３つの室内ユニット５-1〜５-3に接続されたリモコン９のリモコン側ＥＣＵ９３であるとすれば、このリモコン側ＥＣＵ９３は、ユニット選択スイッチ１１１が１回押圧された場合に、ステップＳ１７で「ＡＬＬ」の表示を第５系統の３号機のアドレスを示す「５−３」の表示に切り換える。
【００３６】
この「５−３」の表示は室内ユニット５-3を表示しており、この実施形態では、この室内ユニット５-3が親機である。すなわち、運転設定の更新時には複数台の室内ユニット５-1〜５-3の内の親機である室内ユニット５-3がリモコン９の系統表示１０３および室内ユニット表示１０５に最初に呼び出される。
【００３７】
なお、この親機の室内ユニット５-3の設定登録は、自動アドレス時に行われている。このようにグループ制御内の親機を予め定めることにより、例えば親機の室内ユニット５-3に内蔵された外気温センサを用いてグループＧＲ１内の各室内ユニットの温度制御を行うことができるようになる。
【００３８】
（Ｂ）運転設定の一斉変更
グループＧＲ1 制御される３つの室内ユニット５-1〜５-3の運転設定を一斉に変更する場合には、例えば図７に示すように、系統表示１０３および室内ユニット表示１０５に「ＡＬＬ」が表示されるように切り換える。
【００３９】
前述したように、ステップＳ１５で、ユニット選択スイッチ１１１が押圧されていなければ、最初から表示は「ＡＬＬ」である。しかし、親機の確認のため、ユニット選択スイッチ１１１が一回押圧された場合には「ＡＬＬ」の表示が「５−３」の表示に切り換えられるので、この場合にはユニット選択スイッチ１１１を繰り返し押圧する。２回以上押圧された場合には、その押圧回数に応じて、第５系統の１号機以降のアドレスを示す表示（「５−１」→「５−２」…）に順次切り換えられ、第５系統の最終号機のアドレスを表示している際、ユニット選択スイッチ１１１が更に押圧されると、表示は「ＡＬＬ」に切り換わる。
【００４０】
次に、リモコン側ＥＣＵ９３は、図６のステップＳ１９で温度設定スイッチ１２７，１２９のどちらかが押圧されたか否かを判定する。
【００４１】
そして、この判定がＹesであれば、リモコン側ＥＣＵ９３は、ステップＳ２１で運転設定を変更する室内ユニット（この場合にはグループＧＲ1 制御される全ての室内ユニット５-1〜５-3である。）を確定し、系統表示１０３および室内ユニット表示１０５の「ＡＬＬ」を点滅から点灯に切り換える。次にステップＳ２３で室内側ＥＣＵ６１のＲＯＭ６９内の記憶情報に基づき項目コード表示１０７を切り換える。例えば、リモコン側ＥＣＵ９３は、上昇側の温度設定スイッチ１２７が押圧されると、その押圧回数に応じて「０１」の表示を順（→「０２」→「０３」→「０４」）に切り換え、下降側の温度設定スイッチ１２７，１２９が押圧されると、その押圧回数に応じて逆順（→「０４」→「０３」→「０２」→「０１」）に切り換える。図８には、液晶ディスプレイ１０１上に「ＡＬＬ」が点灯し、項目コード０１が表示された状態を示している。
【００４２】
尚、本実施形態では簡易設定変更に係る第１制御パラメータ群が４種の制御パラメータから構成されており、図９のテーブルに示したように、項目コード０１の制御パラメータがフィルタ寿命に、項目コード０２の制御パラメータが集中アドレスに、項目コード０３の制御パラメータが暖房時吸込温度シフトに、項目コード０４の制御パラメータがヒータ切り換えにそれぞれ対応している。
【００４３】
フィルタ寿命は、エアフィルタの有無や種類等に応じて設定されるもので、設定データについては、０がエアフィルタの無装着を意味し、１〜４が１５０〜１００００時間の寿命を有する各種エアフィルタが装着されたことを意味し、５が目詰まりセンサにより寿命検出が行われることを意味する。そして、設定データが１〜４の場合には対応する時間が経過することにより、また、設定データが５の場合には室内側ＥＣＵ６１から入力した目詰まりセンサの検出結果により、リモコン側ＥＣＵ９３がフィルタ交換ランプ１３３を点灯させることになる。尚、フィルタ寿命の初期運転設定（デフォルト値）は、室内ユニットに標準装着されたエアフィルタに対応した状態となっており、設置作業者等がエアフィルタを他のものに交換した場合等に設定変更が行われる。
【００４４】
集中アドレスは、集中コントローラ１によるグループ制御に係るもので、設定データについては、１〜６４が各グループの親機（集中１〜集中６４）であることを意味し、９９が子機（未定）であることを意味し、デフォルト値は９９となっている。そして、設定データが１〜６４の場合、その室内ユニットは、集中コントローラ１によるグループ制御指令を受け、グループ内の他の室内ユニットに制御指令を伝達することになる。
【００４５】
暖房時吸込温度シフトは、天井埋込型等で吸込温度センサの検出値と実際の室温とが異なる場合に設定されるもので、設定データについては、０〜１０が０〜１０℃を意味する。そして、暖房時吸込温度シフトのデフォルト値は、室内ユニットの形式や能力に応じて予め設定されており、室内ユニットの設置高が標準と異なる場合に所定の設定データが選択されて、室温制御の際に補正値として用いられる。ヒータ切り換えは、オプションヒータの装着時に設定されるもので、設定データについては、０が未装着状態を意味し、１が装着状態を意味し、デフォルト値は０となっている。
【００４６】
そして、設定データが１の場合には、室内側ＥＣＵ６１が必要に応じてオプションヒータへの通電制御を行うことになる。
【００４７】
ステップＳ２３の処理を終えると、リモコン側ＥＣＵ９３は、次にステップＳ２５でタイマ時間スイッチ１１７，１１９のどちらかが押圧されたか否かを判定する。そして、この判定がＹesであれば、リモコン側ＥＣＵ９３は、ステップＳ２７で運転設定を変更する制御パラメータを確定し（項目コード表示１０７を点滅から点灯に切り換え）、次にステップＳ２９で室内側ＥＣＵ６１のＲＯＭ６９内の記憶情報に基づき設定データ表示１０９を切り換える。例えば、リモコン側ＥＣＵ９３は、増加側のタイマ時間スイッチ１１７が押圧されると、その押圧回数に応じて「０００１」の表示を順（→「０００２」→「０００３」→「０００４」…）に切り換え、減少側のタイマ時間スイッチ１１８が押圧されると、その押圧回数に応じて逆順（→「０００５」→「０００４」→「０００３」→「０００２」…）に切り換える。図１０には、液晶ディスプレイ１０１上に、項目コード０１が選択され、設定データ３が表示された状態を示している。
【００４８】
一方、ステップＳ２５の判定がＮo であった場合、リモコン側ＥＣＵ９３は、ステップＳ３１で取消スイッチ１２３が押圧されたか否かを判定し、ＹesであればステップＳ３３で簡易設定変更を中止する。
【００４９】
ステップＳ２９の処理を終えると、リモコン側ＥＣＵ９３は、次にステップＳ３５でセットスイッチ１２１が押圧されたか否かを判定し、この判定がＹesであれば、ステップＳ３７で設定データを確定する（設定データ表示１０９を点滅から点灯に切り換える。）。また一方、ステップＳ３５の判定がＮo であれば、ステップＳ３９で取消スイッチ１２３が押圧されたか否かを判定し、ＹesであればステップＳ４１で設定データをデフォルト値に戻した後にステップＳ４３で簡易設定変更を中止する。
【００５０】
ステップＳ３７の処理を終えると、リモコン側ＥＣＵ９３は、ステップＳ４５で試運転／点検スイッチ１３７が再び押圧されたか否かを判定し、この判定がＹesであればステップＳ４７で設定変更（すなわち、室内側ＥＣＵ６１に対するＥＥＰＲＯＭ７３内の運転設定の書き換えの指令）を実行した後にサブルーチンを終了する。図１１は簡易設定変更が完了した直後の液晶ディスプレイ１０１を示しているが、各表示が点滅から点灯に変わり、「設定中」の表示１４３も消灯している。その後は、通常リモコンモードに復帰し、各スイッチを操作することにより、液晶ディスプレイ１０１上には所定の表示が行われる。
【００５１】
この実施形態では、グループＧＲ1 制御される３つの室内ユニット５-1〜５-3の運転設定が一斉に変更されるので、変更作業が容易になる。
【００５２】
（Ｃ）運転設定の個別変更
グループＧＲ1 制御される３つの室内ユニット５-1〜５-3の運転設定を個別に変更する場合には、この実施形態では、ステップＳ１５において、ユニット選択スイッチ１１１が押圧される。前述したように、ユニット選択スイッチ１１１が１回押圧された場合、「ＡＬＬ」の表示が第５系統の３号機のアドレスを示す「５−３」の表示に切り換えられ、２回以上押圧された場合、その押圧回数に応じて、第５系統の１号機以降のアドレスを示す表示（「５−１」→「５−２」…）に順次切り換えられる。室内ユニット５-3の運転設定を変更する場合には、前記「５−３」が表示された状態で、ステップＳ１９に移行し、それ以後、前記と同様に各ステップを進行し、ステップＳ４７で設定変更を実行し、ついで、ステップＳ１５において、再びユニット選択スイッチ１１１を押圧して「５−１」の表示に切り換え、この状態で、ステップＳ１９に移行し、それ以後、前記と同様に各ステップを進行し、ステップＳ４７で設定変更を実行する。
【００５３】
この操作の繰り返しにより、リモコン９を用いて、グループＧＲ1 制御される３つの室内ユニット５-1〜５-3の運転設定が個別に変更される。
【００５４】
次に、本実施形態における詳細設定変更について説明するが、その手順は簡易設定変更と略同様であるため、相違点についてのみ説明する。
【００５５】
詳細設定変更は、専門的知識を有するサービス作業者等を対象としたものであり、設置作業者等により安易に行われると種々の不具合が生じることがある。そのため、リモコン側ＥＣＵ９３は、図５のステップＳ３において、試運転／点検スイッチ１３７と同時に、セットスイッチ１２１および取消スイッチ１２３も４秒以上ＯＮ状態となった場合にのみ、詳細設定変更モードに移行する。その他の手順は、簡易設定変更サブルーチンと同一であるが、本実施形態の場合、詳細設定変更に係る第２制御パラメータ群が５種の制御パラメータから構成されており、図１２のテーブルに示したように、項目コード１０の制御パラメータが室内ユニット形式に、項目コード１１の制御パラメータが室内ユニット能力に、項目コード１２の制御パラメータが系統アドレスに、項目コード１３の制御パラメータが室内ユニットアドレスに、項目コード１４の制御パラメータがグループ設定にそれぞれ対応している。
【００５６】
項目コード１２の系統アドレスは、室内ユニットと室外ユニットの冷媒系統を一致させるアドレスであり、項目コード１３の室内ユニットアドレスは、ある冷媒系統中の室内ユニットのアドレスであり、さらに項目コード１４のグループ設定は、室内ユニットをグループ制御しているのかどうかや室内ユニットが親機であるのか子機であるのかを示す。
【００５７】
室内ユニット形式は、室内ユニットの設置形式に係るもので、設定データについては、０〜６が一方向天井型や壁掛型等を意味している。通常の場合、室内ユニット形式の変更を行うことはありえないが、制御基板が破損した場合等には、他の室内ユニットの制御基板の流用や補修用制御基板の使用が行われ、その際には室内ユニット形式の設定変更が必要となる。
【００５８】
室内ユニット能力は、室内ユニットの定格能力に係るもので、設定データについては、１〜２３が２２ＫＷから５６０ＫＷを意味している。室内ユニット能力も、室内ユニット形式と同様に、制御基板の流用や補修用制御基板の使用時にその設定変更が必要となる。
【００５９】
系統アドレス、室内ユニットアドレスおよびグループ設定は、自動アドレスにより付与されたアドレスや親子設定を変更する際に用いられる。
【００６０】
この実施形態では、詳細設定変更にあってもグループ制御される室内ユニットに対して、前述した簡易設定変更の場合と同様に（Ａ）親機の呼び出し、（Ｂ）運転設定の一斉変更、（Ｃ）運転設定の個別変更が可能である。
【００６１】
このように、本実施形態では、室内側ＥＣＵ６１のＥＥＰＲＯＭ７３に各種制御パラメータの運転設定を記憶させると共に、リモコン９を適宜操作することでＲＯＭ６９内の設定データを用いてその運転設定を変更できるようにしたため、制御基板の共通化が実現できると同時に、運転設定の変更時に高所作業が不要となった。また、ＲＯＭ６９内の運転設定をリモコン９の液晶ディスプレイ１０１に表示するにあたり、項目コードや設定データを符号化（０〜９９の範囲の整数）するようにしたため、同一のリモコン９で項目コードおよび設定データの変更や追加に対応できるようになった。
【００６２】
以上で具体的実施形態の説明を終えるが、本発明は上述した実施形態に限定されるものではない。例えば、上記実施形態では、運転設定の変更にリモコンを用いるようにしたが、専用の設定変更端末機等を用いるようにしてもよい。
【００６３】
また、上記実施形態では、制御パラメータを簡易設定変更に係る第１制御パラメータ群と詳細設定変更に係る第２制御パラメータ群とに区分したが、このような区分を行わなくともよいし、三つ以上に区分するようにしてもよい。
【００６４】
更に、運転設定変更時の表示形態を始め、具体的な装置構成や制御手順等についても、本発明の趣旨を逸脱しない範囲で適宜変更可能である。
【００６５】
【発明の効果】
請求項１の発明によれば、運転設定の更新時において、グループ制御される複数台の室内ユニットの内の親機が、信号入力手段に最初に呼び出されるので、親機を簡単に見つけることができ、設置作業者やサービス作業者は、例えば親機に更新データを容易に与えることができる。
【００６６】
また、請求項２の発明によれば、グループ制御を行う全ての室内ユニットに一斉に同じ設定データを更新データとして容易に設定することができる。
【００６７】
さらに、請求項３の発明によれば、グループ制御を行う複数台の室内ユニットについて個別に更新データを容易に設定することができる。
【００６８】
また、請求項４の発明によれば、信号入力手段がリモートコントローラとしたため、専用の設定変更端末機等が不要となる。
【図面の簡単な説明】
【図１】本発明の一実施形態に係る空気調和システムの全体を示す概略構成図である。
【図２】室内ユニットおよび室外ユニット内の機器構成を示す概略図である。
【図３】室内側ＥＣＵの構成を示す説明図である。
【図４】リモコンの表示・操作部を示す正面図である。
【図５】簡易設定変更サブルーチンの手順を示したフローチャートである。
【図６】簡易設定変更サブルーチンの手順を示したフローチャートである。
【図７】リモコンの液晶ディスプレイの表示を示した説明図である。
【図８】リモコンの液晶ディスプレイの表示を示した説明図である。
【図９】第１制御パラメータ群の設定データ等を示したテーブルである。
【図１０】リモコンの液晶ディスプレイの表示を示した説明図である。
【図１１】リモコンの液晶ディスプレイの表示を示した説明図である。
【図１２】第２制御パラメータ群の設定データ等を示したテーブルである。
【符号の説明】
１  集中コントローラ
３  バスライン
５-1〜５-n  室内ユニット
７-1〜７-3  室外ユニット
９  ワイヤードリモートコントローラ（室内ユニット外の信号入力手段）
６１  室内側ＥＣＵ
６３  ＣＰＵ
６９  ＲＯＭ
７３  ＥＥＰＲＯＭ
９３  リモコン側ＥＣＵ
１０１  液晶ディスプレイ
【図１】
0003813335.tif 000002
【図２】
0003813335.tif 000003
【図３】
0003813335.tif 000004
【図４】
0003813335.tif 000005
【図５】
0003813335.tif 000006
【図６】
0003813335.tif 000007
【図７】
0003813335.tif 000008
【図８】
0003813335.tif 000009
【図９】
0003813335.tif 000010
【図１０】
0003813335.tif 000011
【図１１】
0003813335.tif 000012
【図１２】
0003813335.tif 000013